(57)【要約】      （修正有）【課題】第１のピン材と第２のピン材とが着脱可能に互いに接続されるスライダー組合せ構造及びそのピン状部品を提供する。【解決手段】ピン状部品Ｓ１は第１のピン材１と第２のピン材とを備える。第１のピン材は第１の本体１０と第１のフランジ部１３と第１の係合部１４と第１の前端部１５とを有する。第２のピン材は第２の本体と第２のフランジ部と第２の係合部と第２の前端部とを有する。第１のフランジ部１３が第１の本体の左側壁から外へ突出するとともに第１の本体の後端に隣接し、第１の係合部１４が第１の本体の右側壁に設けられる。第２のフランジ部が第２の本体の右側壁から外へ突出するとともに第２の本体の後端に隣接し、第２の係合部が第２の本体の左側壁に設けられる。第１の係合部と第２の係合部とを互いに係合することで、第１のピン材と第２のピン材とが着脱可能に接続される。【選択図】図７
0003215038.tif 000002
【実用新案登録請求の範囲】
【請求項１】
第１の左側壁と前記第１の左側壁と反対に設けられる第１の右側壁とを有する第１の本体と、第１のフランジ部と、第１の係合部と、第１の前端部とを有する第１のピン材と、
第２の左側壁と前記第２の左側壁と反対に設けられる第２の右側壁とを有する第２の本体と、第２のフランジ部と、第２の係合部と、第２の前端部とを有する第２のピン材とを備えるピン状部品であって、
前記第１のフランジ部が前記第１の本体の前記第１の左側壁から外へ突出するとともに前記第１の本体の後端に隣接し、前記第１の係合部が前記第１の本体の前記第１の右側壁に設けられ、前記第１の前端部が前記第１の本体の前端に設けられ、
前記第２のフランジ部が前記第２の本体の前記第２の右側壁から外へ突出するとともに前記第２の本体の後端に隣接し、前記第２の係合部が前記第２の本体の前記第２の左側壁に設けられ、前記第２の前端部が前記第２の本体の前端に設けられ、
前記第１の係合部と前記第２の係合部とを互いに係合することにより、前記第１のピン材と前記第２のピン材とを着脱可能に互いに接続することができることを特徴とする、ピン状部品。
【請求項２】
前記第１の本体は、前記第１の左側壁と前記第１の右側壁との間に接続される第１のトップ壁と、前記第１のトップ壁と反対に設けられる第１のボトム壁とを有し、前記第１のピン材は、第１のトップ溝と第１のボトム溝とを有し、前記第１のトップ溝が前記第１の本体の前記第１のトップ壁に設けられ、前記第１のボトム溝が前記第１の本体の前記第１のボトム壁に設けられ、前記第１のトップ溝が第１のフラッシュゲートを連通するための第１のトップ接続部を有し、前記第１のボトム溝が第２のフラッシュゲートを連通するための第１のボトム接続部を有することを特徴とする、請求項１に記載のピン状部品。
【請求項３】
前記第２の本体は、前記第２の左側壁と前記第２の右側壁との間に接続される第２のトップ壁と、前記第２のトップ壁と反対に設けられる第２のボトム壁とを有し、前記第２のピン材は第２のトップ溝と第２のボトム溝とを有し、前記第２のトップ溝が前記第２の本体の前記第２のトップ壁に設けられ、前記第２のボトム溝が前記第２の本体の前記第２のボトム壁に設けられ、前記第２のトップ溝が第３のフラッシュゲートを連通するための第２のトップ接続部を有し、前記第２のボトム溝が第４のフラッシュゲートを連通するための第２のボトム接続部を有することを特徴とする、請求項２に記載のピン状部品。
【請求項４】
前記第１のピン材の前記第１のフランジ部が第１のスライダーの第１の内側壁によって当接されて前記第２のピン材に向かって押し付けられ、前記第２のピン材の前記第２のフランジ部が第２のスライダーの第２の内側壁によって当接されて前記第１のピン材に向かって押し付けられ、前記第１のピン材はインサートピンであり、前記第２のピン材は留めピンであることを特徴とする、請求項１に記載のピン状部品。
【請求項５】
第１の左側壁と、前記第１の左側壁と反対に設けられる第１の右側壁と、前記第１の左側壁と前記第１の右側壁との間に接続される第１のトップ壁と、前記第１のトップ壁と反対に設けられる第１のボトム壁とを有する第１の本体と、第１のトップ溝と、第１のボトム溝と、第１の係合部と、第１の前端部とを有する第１のピン材と、
第２の左側壁と、前記第２の左側壁と反対に設けられる第２の右側壁と、前記第２の左側壁と前記第２の右側壁との間に接続される第２のトップ壁と、前記第２のトップ壁と反対に設けられる第２のボトム壁とを有する第２の本体と、第２のトップ溝と、第２のボトム溝と、第２の係合部と、第２の前端部とを有する第２のピン材とを備えるピン状部品であって、
前記第１のトップ溝が前記第１の本体の前記第１のトップ壁に設けられ、前記第１のボトム溝が前記第１の本体の前記第１のボトム壁に設けられ、前記第１の係合部が前記第１の本体の前記第１の右側壁に設けられ、前記第１の前端部が前記第１の本体の前端に設けられ、
前記第２のトップ溝が前記第２の本体の前記第２のトップ壁に設けられ、前記第２のボトム溝が前記第２の本体の前記第２のボトム壁に設けられ、前記第２の係合部が前記第２の本体の前記第２の左側壁に設けられ、前記第２の前端部が前記第２の本体の前端に設けられ、
前記第１の係合部と前記第２の係合部とを互いに係合することにより、前記第１のピン材と前記第２のピン材とを着脱可能に互いに接続することができることを特徴とする、ピン状部品。
【請求項６】
前記第１のトップ溝が第１のフラッシュゲートを連通するための第１のトップ接続部を有し、前記第１のボトム溝が第２のフラッシュゲートを連通するための第１のボトム接続部を有し、前記第２のトップ溝が第３のフラッシュゲートを連通するための第２のトップ接続部を有し、前記第２のボトム溝が第４のフラッシュゲートを連通するための第２のボトム接続部を有することを特徴とする、請求項５に記載のピン状部品。
【請求項７】
前記第１のピン材は、前記第１の本体の前記第１の左側壁から外へ突出するとともに前記第１の本体の後端に隣接する第１のフランジ部を有し、前記第２のピン材は、前記第２の本体の前記第２の右側壁から外へ突出するとともに前記第２の本体の後端に隣接する第２のフランジ部を有し、前記第１のピン材の前記第１のフランジ部が第１のスライダーの第１の内側壁によって当接されて前記第２のピン材に向かって押し付けられ、前記第２のピン材の前記第２のフランジ部が第２のスライダーの第２の内側壁によって当接されて前記第１のピン材に向かって押し付けられることを特徴とする、請求項５に記載のピン状部品。
【請求項８】
第１の内側壁と、前記第１の内側壁と反対に設けられる第２の内側壁とを有する第１のスライダーと、前記第１のスライダーと着脱可能に互いに係合される第２のスライダーとを備えるスライダー部品と、
前記スライダー部品と互いに係合され、第１のピン材と第２のピン材とを備え、前記第１のピン材と前記第２のピン材が前記スライダー部品に挿入されるピン状部品とを備えるスライダー組合せ構造であって、
前記第１のピン材は、第１の本体と、第１のフランジ部と、第１の係合部と、第１の前端部とを有し、前記第１の本体が第１の左側壁と前記第１の左側壁と反対に設けられる第１の右側壁とを有し、前記第１のフランジ部が前記第１の本体の前記第１の左側壁から外へ突出するとともに前記第１の本体の後端に隣接し、前記第１の係合部が前記第１の本体の前記第１の右側壁に設けられ、前記第１の前端部が前記第１の本体の前端に設けられ、
前記第２のピン材は、第２の本体と、第２のフランジ部と、第２の係合部と、第２の前端部とを有し、前記第２の本体が第２の左側壁と前記第２の左側壁と反対に設けられる第２の右側壁とを有し、前記第２のフランジ部が前記第２の本体の前記第２の右側壁から外へ突出するとともに前記第２の本体の後端に隣接し、前記第２の係合部が前記第２の本体の前記第２の左側壁に設けられ、前記第２の前端部が前記第２の本体の前端に設けられ、
前記第１のピン材の前記第１のフランジ部が前記第１のスライダーの前記第１の内側壁によって当接されて前記第２のピン材に向かって押し付けられ、前記第２のピン材の前記第２のフランジ部が前記第２のスライダーの前記第２の内側壁によって当接されて前記第１のピン材に向かって押し付けられ、
前記第１の係合部と前記第２の係合部とを互いに係合することにより、前記第１のピン材と前記第２のピン材とを着脱可能に互いに接続することができることを特徴とする、スライダー組合せ構造。
【請求項９】
前記第１の本体は、前記第１の左側壁と前記第１の右側壁との間に接続される第１のトップ壁と、前記第１のトップ壁と反対に設けられる第１のボトム壁とを有し、前記第１のピン材は、第１のトップ溝と第１のボトム溝とを有し、前記第１のトップ溝が前記第１の本体の前記第１のトップ壁に設けられ、前記第１のボトム溝が前記第１の本体の前記第１のボトム壁に設けられ、前記第１のトップ溝が第１のフラッシュゲートを連通するための第１のトップ接続部を有し、前記第１のボトム溝が第２のフラッシュゲートを連通するための第１のボトム接続部を有することを特徴とする、請求項８に記載のスライダー組合せ構造。
【請求項１０】
前記第２の本体は、前記第２の左側壁と前記第２の右側壁との間に接続される第２のトップ壁と、前記第２のトップ壁と反対に設けられる第２のボトム壁とを有し、前記第２のピン材は第２のトップ溝と第２のボトム溝とを有し、前記第２のトップ溝が前記第２の本体の前記第２のトップ壁に設けられ、前記第２のボトム溝が前記第２の本体の前記第２のボトム壁に設けられ、前記第２のトップ溝が第３のフラッシュゲートを連通するための第２のトップ接続部を有し、前記第２のボトム溝が第４のフラッシュゲートを連通するための第２のボトム接続部を有し、前記第１のスライダーは第１の左チャンバと第１の右チャンバとを有し、前記第２のスライダーは第２の左チャンバと第２の右チャンバとを有し、前記第１のピン材が前記第１のスライダーと前記第２のスライダー内に挿入されるとともに前記第１の左チャンバと前記第２の左チャンバ内に収容され、前記第２のピン材が前記第１のスライダーと前記第２のスライダー内に挿入されるとともに前記第１の右チャンバと前記第２の右チャンバ内に収容されることを特徴とする、請求項９に記載のスライダー組合せ構造。
【考案の詳細な説明】
【技術分野】
【０００１】
本考案はスライダー組合せ構造及びそのピン状部品に関し、特にスライダー組合せ構造及びそのピン状部品に関する。
【背景技術】
【０００２】
通常の服装の基本噛合エレメントはボタン又はファスナー構造を用いるに過ぎない。ボタンに比べ、ファスナー構造を用いることはより良い使用性及び堅固な構造特性を有する。通常のファスナー構造は、スライダーとファスナーテープとを有する。スライダーは主としてファスナーテープに係合されファスナー構造による往復引張りの連結エレメントとされることで、ファスナー構造を服飾及びアクセサリーに用いることがさらに普及しつつある。しかし、従来技術におけるインサートピンと留めピンは、ファスナー構造との係合においてはまだ改善の余地がある。
【考案の概要】
【考案が解決しようとする課題】
【０００３】
本考案が解決しようとする技術問題は、従来技術のデメリットを解消したスライダー組合せ構造及びそのピン状部品を提供することである。
【課題を解決するための手段】
【０００４】
上記の技術問題を解決するために、本考案に用いられる一つの技術方案は、第１の左側壁と前記第１の左側壁と反対に設けられる第１の右側壁とを有する第１の本体と、第１のフランジ部と、第１の係合部と、第１の前端部とを有する第１のピン材と、第２の左側壁と前記第２の左側壁と反対に設けられる第２の右側壁とを有する第２の本体と、第２のフランジ部と、第２の係合部と、第２の前端部とを有する第２のピン材とを備えるピン状部品であって、前記第１のフランジ部が前記第１の本体の前記第１の左側壁から外へ突出するとともに前記第１の本体の後端に隣接し、前記第１の係合部が前記第１の本体の前記第１の右側壁に設けられ、前記第１の前端部が前記第１の本体の前端に設けられ、前記第２のフランジ部が前記第２の本体の前記第２の右側壁から外へ突出するとともに前記第２の本体の後端に隣接し、前記第２の係合部が前記第２の本体の前記第２の左側壁に設けられ、前記第２の前端部が前記第２の本体の前端に設けられ、前記第１の係合部と前記第２の係合部とを互いに係合することにより、前記第１のピン材と前記第２のピン材とを着脱可能に互いに接続することができるピン状部品を提供する。
【０００５】
上記の技術問題を解決するために、本考案に用いられる別の技術方案は、スライダー部品とピン状部品とを備えるスライダー組合せ構造を提供する。
【考案の効果】
【０００６】
本考案が提供するスライダー組合せ構造及びそのピン状部品は、「前記第１の係合部が前記第１の本体の前記第１の右側壁に設けられ、前記第２の係合部が前記第２の本体の前記第２の左側壁に設けられる」及び「前記第１の係合部と前記第２の係合部とが互いに係合される」という技術方案を介して、前記第１のピン材と前記第２のピン材とが着脱可能に互いに接続されることが可能である。
【図面の簡単な説明】
【０００７】
【図１】本考案のピン状部品の第１のピン材の一つの概略的斜視図である。
【図２】本考案のピン状部品の第１のピン材の別の概略的斜視図である。
【図３】本考案のピン状部品の第１のピン材の概略的平面図である。
【図４】本考案のピン状部品の第２のピン材の一つの概略的斜視図である。
【図５】本考案のピン状部品の第２のピン材の別の概略的斜視図である。
【図６】本考案のピン状部品の第２のピン材の概略的平面図である。
【図７】本考案のピン状部品の第１のピン材と第２のピン材とが着脱可能に互いに係合される概略的平面図である。
【図８】本考案のピン状部品の第１のピン材が折られてバリ粒子から分離される前の一つの概略的斜視図である。
【図９】本考案のピン状部品の第１のピン材が折られてバリ粒子から分離される前の別の概略的斜視図である。
【図１０】本考案のピン状部品の第２のピン材が折られてバリ粒子から分離される前の一つの概略的斜視図である。
【図１１】本考案のピン状部品の第２のピン材が折られてバリ粒子から分離される前の別の概略的斜視図である。
【図１２】本考案のスライダー組合せ構造の第１のスライダーと第２のスライダーとが着脱可能に互いに係合される概略的斜視図である。
【図１３】図１２のＸＩＩＩ−ＸＩＩＩ断面線に沿う概略的平面図である。
【図１４】本考案の第１のピン材をスライダー部品内に挿入しようとする場合の概略的平面図である。
【図１５】本考案の第１のピン材がスライダー部品内に徐々に挿入される場合の概略的平面図である。
【図１６】本考案の第１のピン材がスライダー部品内に完全に挿入される場合の概略的平面図である。
【考案を実施するための形態】
【０００８】
本考案の特徴及び技術内容がより一層分かるように、以下本考案に関する詳細な説明と添付図面を参照する。しかし、提供される添付図面は参考と説明のために提供するものに過ぎず、本考案を制限するためのものではない。
【０００９】
以下には所定の具体的実施例を介して、本考案に開示される「スライダー組合せ構造及びそのピン状部品」に関する実施の形態を説明する。当業者は本明細書に開示される内容から、本考案のメリットと効果を知ることが可能になる。本考案は、他の異なる具体的実施例を介して実施又は応用されてもよく、本明細書中の各詳細は異なる観点と応用に基づき、本考案の主旨を逸脱することなく種々の修飾と変更を行ってもよい。また、本考案の添付図面は簡単な概略的説明に過ぎず、実際のサイズに従い描かれるものではないことを明らかにしておく。以下の実施の形態は、本考案の関連技術内容をより詳しく説明するが、開示される内容は本考案の保護範囲を制限するためのものではない。
【００１０】
図１乃至図７を参照する。本考案は、第１のピン材１と第２のピン材２とを備えるピン状部品Ｓ１を提供する。例えば、第１のピン材１は、インサートピンであってもよく、第２のピン材２は、留めピンであってもよいが、本考案はこの例に制限されるものではない。
【００１１】
まず、図１乃至図３に基づき、第１のピン材１は、第１の本体１０と、第１のトップ溝１１と、第１のボトム溝１２とを有する。また、図４乃至図６に基づき、第２のピン材２は、第２の本体２０と、第２のトップ溝２１と、第２のボトム溝２２とを有する。
【００１２】
さらには、図１乃至図３に基づき、第１の本体１０は、第１の左側壁１０１と、第１の左側壁１０１と反対に設けられる第１の右側壁１０２と、第１の左側壁１０１と第１の右側壁１０２との間に接続される第１のトップ壁１０３と、第１のトップ壁１０３と反対に設けられる第１のボトム壁１０４とを有する。また、図４乃至図６に基づき、第２の本体２０は、第２の左側壁２０１と、第２の左側壁２０１と反対に設けられる第２の右側壁２０２と、第２の左側壁２０１と第２の右側壁２０２との間に接続される第２のトップ壁２０３と、第２のトップ壁２０３と反対に設けられる第２のボトム壁２０４とを有する。
【００１３】
さらには、図１乃至図３に基づき、第１のトップ溝１１が第１の本体１０の第１のトップ壁１０３に設けられ、第１のボトム溝１２が第１の本体１０の第１のボトム壁１０４に設けられる。また、図４乃至図６に基づき、第２のトップ溝２１が第２の本体２０の第２のトップ壁２０３に設けられ、第２のボトム溝２２が第２の本体２０の第２のボトム壁２０４に設けられる。
【００１４】
さらには、図１乃至図３に基づき、第１のピン材１は、第１の本体１０の第１の左側壁１０１から外へ突出するとともに第１の本体１０の後端に隣接する第１のフランジ部１３を有する。また、図４乃至図６に基づき、第２のピン材２は、第２の本体２０の第２の右側壁２０２から外へ突出するとともに第２の本体２０の後端に隣接する第２のフランジ部２３を有する。
【００１５】
さらには、図１乃至図３に基づき、第１のピン材１は、第１の本体１０の第１の右側壁１０２に設けられる第１の係合部１４を有する。また、図４乃至図６に基づき、第２のピン材２は、第２の本体２０の第２の左側壁２０１に設けられる第２の係合部２４を有する。例えば、第１の係合部１４と第２の係合部２４は、互いに係合される二つのほぞ穴結合であってもよいが、本考案はこの例に制限されるものではない。
【００１６】
さらには、図１乃至図３に基づき、第１のピン材１は、挿入用ガイド部として第１の本体１０の前端に設けられる第１の前端部１５を有する。また、図４乃至図６に基づき、第２のピン材２は、位置決め用フック部として第２の本体２０の前端に設けられる第２の前端部２５を有する。
【００１７】
これにより、図３、図６及び図７に基づき、第１の係合部１４と第２の係合部２４とが互いに係合され得ることで、第１のピン材１と第２のピン材２とが着脱可能に（ｄｅｔａｃｈａｂｌｙ）互いに接続されている。例えば、図７に示すように、第１の係合部１４が第２の係合部２４にラップされる場合、第１のピン材１と第２のピン材２とが互いに接続され得る。図３と図６に基づき、第１の係合部１４が第２の係合部２４から分離される場合、第１のピン材１と第２のピン材２とが互いに分離される。
【００１８】
なお、図１乃至図３、図８及び図９に基づき、第１のトップ溝１１は、第１のフラッシュゲートＦ１を連通するための第１のトップ接続部１１０を有し、第１のボトム溝１２は、第２のフラッシュゲートＦ２を連通するための第１のボトム接続部１２０を有する。
【００１９】
上述したように、図８に示すように、第１のピン材１の製作過程において、第１のフラッシュゲートＦ１に接続される第１のトップ接続部１１０が第１のトップ溝１１内に形成されるので、第１のピン材１が第１のフラッシュゲートＦ１から分離される場合（即ち、第１のピン材１が折られてバリ粒子Ｐから分離される場合）、第１のトップ接続部１１０において折れた残材が生じても、この残材が第１のトップ溝１１内に収容され第１のピン材１の第１のトップ壁１０３に突出しない。また、図９に示すように、第１のピン材１の製作過程において、第２のフラッシュゲートＦ２に接続される第１のボトム接続部１２０が第１のボトム溝１２内に形成されるので、第１のピン材１が第２のフラッシュゲートＦ２から分離される場合（即ち、第１のピン材１が折られてバリ粒子Ｐから分離される場合）、第１のボトム接続部１２０において折れた残材が生じても、この残材が第１のボトム溝１２内に収容され第１のピン材１の第１のボトム壁１０４に突出しない。
【００２０】
これにより、折れた後に生じた残材が第１のトップ溝１１内に収容され第１のピン材１の第１のトップ壁１０３に突出せず（即ち、図８に示すように、第１のピン材１の製品の外形に突出せず）、折れた後に生じた残材が第１のボトム溝１２内に収容され第１のピン材１の第１のボトム壁１０４に突出しない（即ち、図９に示すように、第１のピン材１の製品の外形に突出しない）ので、本考案は自動化ライン生産の効率を大幅に向上できる。
【００２１】
なお、図４乃至図６、図１０及び図１１に基づき、第２のトップ溝２１は、第３のフラッシュゲートＦ３を連通するための第２のトップ接続部２１０を有し、第２のボトム溝２２は、第４のフラッシュゲートＦ４を連通するための第２のボトム接続部２２０を有する。
【００２２】
上述したように、図１０に示すように、第２のピン材２の製作過程において、第３のフラッシュゲートＦ３に接続される第２のトップ接続部２１０が第２のトップ溝２１内に形成されるので、第２のピン材２が第３のフラッシュゲートＦ３から分離される場合（即ち、第２のピン材２が折られてバリ粒子Ｐから分離される場合）、第２のトップ接続部２１０において折れた残材が生じても、この残材が第２のトップ溝２１内に収容され第２のピン材２の第２のトップ壁２０３に突出しない。また、図１１に示すように、第２のピン材２の製作過程において、第４のフラッシュゲートＦ４に接続される第２のボトム接続部２２０が第２のボトム溝２２内に形成されるので、第２のピン材２が第４のフラッシュゲートＦ４から分離される場合（即ち、第２のピン材２が折られてバリ粒子Ｐから分離される場合）、第２のボトム接続部２２０において折れた残材が生じても、この残材が第２のボトム溝２２内に収容され第２のピン材２の第２のボトム壁２０４に突出しない。
【００２３】
これにより、折れた後に生じた残材が第２のトップ溝２１内に収容され第２のピン材２の第２のトップ壁２０３に突出せず（即ち、図１０に示すように、第２のピン材２の製品の外形に突出せず）、折れた後に生じた残材が第２のボトム溝２２内に収容され第２のピン材２の第２のボトム壁２０４に突出しない（即ち、図１１に示すように、第２のピン材２の製品の外形に突出しない）ので、本考案は自動化ライン生産の効率を大幅に向上できる。
【００２４】
図１２乃至図１６を参照する。本考案は、互いに係合され得るスライダー部品Ｓ２とピン状部品Ｓ１とを備えるスライダー組合せ構造Ｚをさらに提供する。
【００２５】
まず、図１２と図１３に基づき、スライダー部品Ｓ２は、第１の内側壁３０１と第１の内側壁３０１と反対に設けられる第２の内側壁３０２とを有する第１のスライダー３と、第１のスライダー３と着脱可能に（ｄｅｔａｃｈａｂｌｙ）互いに係合される第２のスライダー４とを備える。さらには、第１のスライダー３は、第１の左チャンバ３０３と第１の右チャンバ３０４とを有し、第２のスライダー４は第２の左チャンバ４０３と第２の右チャンバ４０４とを有する。
【００２６】
なお、図１４乃至図１６に基づき、ピン状部品Ｓ１は第１のピン材１と第２のピン材２とを備え、第１のピン材１と第２のピン材２がスライダー部品Ｓ２に挿入される。さらには、第１のピン材１は、第１のスライダー３と第２のスライダー４内に挿入されるとともに第１の左チャンバ３０３と第２の左チャンバ４０３内に収容されることが可能であり、第２のピン材２は、第１のスライダー３と第２のスライダー４内に挿入されるとともに第１の右チャンバ３０４と第２の右チャンバ４０４内に収容されることが可能である。
【００２７】
上述したように、図１４乃至図１６に基づき、第１のピン材１が第１のスライダー３と第２のスライダー４内に挿入される場合、第１のピン材１の第１のフランジ部１３が第１のスライダー３の第１の内側壁３０１によって当接されて第２のピン材２に向かって押し付けられ、第２のピン材２の第２のフランジ部２３が第２のスライダー４の第２の内側壁３０２によって当接されて第１のピン材１に向かって押し付けられる。これにより、第１の係合部１４と第２の係合部２４とが互いに係合され得ることで、第１のピン材１と第２のピン材２とが着脱可能に（ｄｅｔａｃｈａｂｌｙ）互いに接続されている。
【００２８】
つまり、第１のピン材１が第１のスライダー３と第２のスライダー４内に挿入される場合、第１のピン材１の第１のフランジ部１３は第１のスライダー３の第１の内側壁３０１に当接し第１のピン材１全体を第２のピン材２に迅速に接近させることができ、第２のピン材２の第２のフランジ部２３は第２のスライダー４の第２の内側壁３０２に当接し第２のピン材２全体を第１のピン材１に迅速に接近させることができることで、第１の係合部１４と第２の係合部２４の両者の係合（或いは、第１のピン材１と第２のピン材２の両者の係合）はより確実で安定している。
【００２９】
なお、第１のピン材１は、大きなチャンバ空間を有するスライダー部品Ｓ２に挿入される場合でも、第１のピン材１の第１のフランジ部１３が第１のスライダー３の第１の内側壁３０１に当接し第１のピン材１全体を第２のピン材２に迅速に接近させることができることで、第１の係合部１４と第２の係合部２４の両者の係合（或いは、第１のピン材１と第２のピン材２の両者の係合）はより確実で安定させることも可能である。このため、本考案のスライダー組合せ構造Ｚ及びそのピン状部品Ｓ１は、高い製品適性を有する。
【００３０】
［実施例の効果］
本考案の一つの効果としては、本考案が提供するスライダー組合せ構造Ｚ及びそのピン状部品Ｓ１は、「第１の係合部１４が第１の本体１０の第１の右側壁１０２に設けられ、第２の係合部２４が第２の本体２０の第２の左側壁２０２に設けられる」及び「第１の係合部１４と第２の係合部２４とが互いに係合される」という技術方案を介して、第１のピン材１と第２のピン材２とが着脱可能に互いに接続されることが可能である。
【００３１】
さらには、折れた後に生じた残材が第１のトップ溝１１内に収容され第１のピン材１の第１のトップ壁１０３に突出せず（即ち、図８に示すように、第１のピン材１の製品の外形に突出せず）、折れた後に生じた残材が第１のボトム溝１２内に収容され第１のピン材１の第１のボトム壁１０４に突出しない（即ち、図９に示すように、第１のピン材１の製品の外形に突出しない）ので、本考案は自動化ライン生産の効率を大幅に向上できる。
【００３２】
さらには、折れた後に生じた残材が第２のトップ溝２１内に収容され第２のピン材２の第２のトップ壁２０３に突出せず（即ち、図１０に示すように、第２のピン材２の製品の外形に突出せず）、折れた後に生じた残材が第２のボトム溝２２内に収容され第２のピン材２の第２のボトム壁２０４に突出しない（即ち、図１１に示すように、第２のピン材２の製品の外形に突出しない）ので、本考案は自動化ライン生産の効率を大幅に向上できる。
【００３３】
さらには、第１のピン材１が第１のスライダー３と第２のスライダー４内に挿入される場合、第１のピン材１の第１のフランジ部１３は第１のスライダー３の第１の内側壁３０１に当接し第１のピン材１全体を第２のピン材２に迅速に接近させることができ、第２のピン材２の第２のフランジ部２３は第２のスライダー４の第２の内側壁３０２に当接し第２のピン材２全体を第１のピン材１に迅速に接近させることができることで、第１の係合部１４と第２の係合部２４の両者の係合（或いは、第１のピン材１と第２のピン材２の両者の係合）はより確実で安定している。
【００３４】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００３５】
Ｚ    スライダー組合せ構造
Ｓ１    ピン状部品
Ｓ２    スライダー部品
１    第１のピン材
１０    第１の本体
１０１    第１の左側壁
１０２    第１の右側壁
１０３    第１のトップ壁
１０４    第１のボトム壁
１１    第１のトップ溝
１１０    第１のトップ接続部
１２    第１のボトム溝
１２０    第１のボトム接続部
１３    第１のフランジ部
１４    第１の係合部
１５    第１の前端部
２    第２のピン材
２０    第２の本体
２０１    第２の左側壁
２０２    第２の右側壁
２０３    第２のトップ壁
２０４    第２のボトム壁
２１    第２のトップ溝
２１０    第２のトップ接続部
２２    第２のボトム溝
２２０    第２のボトム接続部
２３    第２のフランジ部
２４    第２の係合部
２５    第２の前端部
３    第１のスライダー
３０１    第１の内側壁
３０２    第２の内側壁
３０３    第１の左チャンバ
３０４    第１の右チャンバ
４    第２のスライダー
４０３    第２の左チャンバ
４０４    第２の右チャンバ
Ｆ１    第１のフラッシュゲート
Ｆ２    第２のフラッシュゲート
Ｆ３    第３のフラッシュゲート
Ｆ４    第４のフラッシュゲート
Ｐ    バリ粒子
【図１】
0003215038.tif 000003
【図２】
0003215038.tif 000004
【図３】
0003215038.tif 000005
【図４】
0003215038.tif 000006
【図５】
0003215038.tif 000007
【図６】
0003215038.tif 000008
【図７】
0003215038.tif 000009
【図８】
0003215038.tif 000010
【図９】
0003215038.tif 000011
【図１０】
0003215038.tif 000012
【図１１】
0003215038.tif 000013
【図１２】
0003215038.tif 000014
【図１３】
0003215038.tif 000015
【図１４】
0003215038.tif 000016
【図１５】
0003215038.tif 000017
【図１６】
0003215038.tif 000018